(57)【特許請求の範囲】
【請求項１】
フォークリフトのフォークの爪が挿入されるフォーク挿入部を有するパレットの上面部の４辺に同一形状の側板を配置し、この同一形状の４つの側板の両端部の側板の略巾内に、それぞれ、突出長さが側板の略巾と略同じ長さとなり且つ先端部に弧面部が形成された軸受け部と軸受け部が突設しない平坦な凹み部とを上下方向に形成し、各側板の中間部分の下部にロック部材収納部を形成して該ロック部材収納部にロック部材を上下移動自在に収納配置し、側板の内側を平面に形成し、側板の外側を縦横リブで形成し、該縦横リブで形成した側板の外側において上端部から下端部にわたる複数の縦リブを設けると共にこの縦リブ間の間隔が狭い部位と縦リブ間の間隔が広い部位を設け、側板の中央部のロック部材収納部の両側の部位を上記縦リブ間の間隔が狭い部位とし、パレットの四隅部に取付け用孔部を設けるとともにパレットの４辺の各中間部分にロック溝を設け、側板同士が直角に隣接するコーナー部分において一方の側板に設けた先端部に弧面部が形成された軸受け部と他方の側板に設けた先端部に弧面部が形成された軸受け部とを上下にずらして配置し、一方の側板の軸受け部を他方の側板の凹み部に嵌め込み且つ一方の側板の凹み部に他方の側板の軸受け部を嵌め込んだ状態で回転軸を上下の軸受け部に挿入して上下の軸受け部同士を回動自在に連結するとともに該回転軸の下端部をパレットの取付け用孔部に挿入して該回転軸をパレットに対して着脱自在に連結し、さらに上記ロック部材を下方に引き下ろしてパレットのロック溝に嵌め込んで側板の中間部分をロックして、パレットの上面部の４辺にそれぞれ側板が起立姿勢で配置された組立状態とし、この組立状態において側板の一端部の軸受け部を回転軸から離脱させ且つ該側板の中間部分をパレットにロックしているロック部材を上方に引き上げてロックを解除した状態で該側板の他端部の軸受け部が、該軸受け部とこれと隣接する他の側板の軸受け部とを連結し且つ下端部がパレットの取付け用孔部に連結されている回転軸を中心に回動自在となるようにして成ることを特徴とする組立容器。
【発明の詳細な説明】
【０００１】
【発明の属する技術分野】
本発明は、フォークリフトにより搬送を行うことができる大型の組立容器に関するものである。
【０００２】
【従来の技術】
従来から、大型の容器としては木製の容器が知られており、この大型の木製の容器内に収納物を収納した状態で搬送するに当たっては、容量が大きく且つ重量が重いため木製の容器をパレットに載置してフォークリフトにより搬送を行うようにしているが、木製の容器はパレットと一体化していないため、パレットへの載置やパレットから降ろす作業が必要であり、また、大型の木製の容器は空の状態で保管や搬送する場合、広いスペースを取り、これらの理由により、物流コスト、保管コストが高くなるという問題がある。また、大型の木製の容器内に収納物を入れたり、出したりするには容器が大型であるため、作業者が大型の木製の容器の上開口縁部に載ったり、あるいは中に入った状態で側板を越して収納物の出し入れを行わなければならず、作業がきわめて面倒で、手間がかかるという問題がある。
【０００３】
そこで、本出願人はパレットの上面の４辺に側板を配置し、側板同士が直角に隣接するコーナ部分において一方の側板の端部に設けた略櫛歯状の噛合部と他方の側板の端部に設けた略櫛歯状の噛合部とを着脱自在に噛み合わせ、両側板の噛合部に設けた連結孔及びパレットに設けた連結孔に連結棒を挿通してナットにより螺合する組立容器を実公平５−１６１０６号として出願している。
【０００４】
このものは連結棒を外すことで容易に分解できるようになっており、分解することで搬送コストや保管コストを低下できるようにしている。
【０００５】
しかし、この従来例にあっては、直角に隣接する側板の略櫛歯状の噛合部同士を噛み合わせた状態における連結棒によるパレットへの連結と、各側板の下面に突設した立設用の嵌合突起をパレットの各辺部の上面に形成した嵌合凹部に嵌合するという取付け構成を採用しているため、４つの側板を噛合部同士の噛み合わせにより四角形に組み立てた状態で、各側板の嵌合突起をパレットの嵌合凹部に嵌合させるという手順をとらなければ、パレットの４辺に側板を建て込むことはできないものである。いいかえれば、３つの側板をコ字状に組み立ててパレットの３辺に建て込んだ後で、残りの一つの側板を取付けようとしても、噛合部同士の噛合わせは水平方向からの嵌め込み作業によりおこなわなければならないが、嵌合突起と嵌合凹部との嵌合は垂直方向からの嵌め込みとなり、両者を同時に行うことは不可能であり、したがって、３つの側板をコ字状に組み立ててパレットの３辺に建て込んだ後で、残りの一つの側板を取付ることなどできないものである。
【０００６】
また、上記従来例にあっては、３つの側板をコ字状に組み立ててパレットの３辺に建て込んだ後で、残りの一つの側板を取付ることができないのみならず、３つの側板をコ字状に組み立ててパレットの３辺に建て込むとともに、残りの一つの側板は一端部のみをコ字状に組み立てて建て込んだ側板の一つの端部に連結棒により連結し、他方の端部は連結棒による連結を解除してフリーにしたとしても、従来例の噛合部の端部は隣接する側板の端面に邪魔されることなく回動できるような形状となっておらず、したがって、一つの側板を回動して開くことで、収納物の出し入れを容易とするという構成にできないものである。しかも、上記のように、嵌合突起と嵌合凹部とは垂直方向に嵌合する必要があるため、この点でも従来例のものは一つの側板を回動して開き且つ回動して閉じ、連結棒で連結するということなどできないものである。
【０００７】
上記の理由により従来例のものは使用時にはパレットの４辺に側板を立設して容器状に組み立てた状態とする必要があり、このため大型の組立容器内への収納物の出し入れに当たっては、作業者が大型の組立容器の上開口縁部に載ったり、中に入った状態で収納物の出し入れを行わなければならず、依然として作業性が悪いという問題があった。
【０００８】
【発明が解決しようとする課題】
本発明は上記の点に鑑みてなされたものであり、大型の組立容器において簡単な構成で使用時には側板の一つを回動自在に開いて組立容器内に収納物を簡単に出し入れでき、しかも、非使用時には簡単に分解してコンパクトにできて、搬送、保管のスペースに当たって大きなスペースを取らないようにできる組立容器を提供することを課題とするものである。
【０００９】
【課題を解決するための手段】
上記課題を解決するために本発明に係る組立容器は、フォークリフトのフォークの爪が挿入されるフォーク挿入部１を有するパレット２の上面部の４辺に同一形状の側板３を配置し、この同一形状の４つの側板３の両端部の側板３の略巾内に、それぞれ、突出長さが側板３の略巾と略同じ長さとなり且つ先端部に弧面部６が形成された軸受け部４と軸受け部４が突設しない平坦な凹み部７とを上下方向に形成し、各側板３の中間部分の下部にロック部材収納部１６を形成して該ロック部材収納部１６にロック部材２３を上下移動自在に収納配置し、側板３の内側を平面に形成し、側板３の外側を縦横リブで形成し、該縦横リブで形成した側板３の外側において上端部から下端部にわたる複数の縦リブを設けると共にこの縦リブ間の間隔が狭い部位と縦リブ間の間隔が広い部位を設け、側板３の中央部のロック部材収納部１６の両側の部位を上記縦リブ間の間隔が狭い部位とし、パレット２の四隅部に取付け用孔部８を設けるとともにパレット２の４辺の各中間部分にロック溝１５を設け、側板３同士が直角に隣接するコーナー部分において一方の側板３に設けた先端部に弧面部６が形成された軸受け部４と他方の側板３に設けた先端部に弧面部６が形成された軸受け部４とを上下にずらして配置し、一方の側板３の軸受け部４を他方の側板３の凹み部７に嵌め込み且つ一方の側板３の凹み部７に他方の側板３の軸受け部４を嵌め込んだ状態で回転軸５を上下の軸受け部４に挿入して上下の軸受け部４同士を回動自在に連結するとともに該回転軸５の下端部をパレット２の取付け用孔部８に挿入して該回転軸５をパレット２に対して着脱自在に連結し、さらに上記ロック部材２３を下方に引き下ろしてパレット２のロック溝１５に嵌め込んで側板３の中間部分をロックして、パレットの上面部の４辺にそれぞれ側板が起立姿勢で配置された組立状態とし、この組立状態において側板３の一端部の軸受け部４を回転軸５から離脱させ且つ該側板３の中間部分をパレット２にロックしているロック部材２３を上方に引き上げてロックを解除した状態で、該側板３の他端部の軸受け部４が、該軸受け部４とこれに隣接する他の側板３の軸受け部４とを連結し且つ下端部がパレット２の取付け用孔部８に連結されている回転軸５を中心に回動自在となるようにして成ることを特徴とするものである。このような構成とすることで、非使用時には側板３を取り外すことでコンパクトにすることができて、搬送、保管に当たってスペースをとらないようにできるものであり、また、使用時には同一形状の４つの側板３を組み立ててパレット２の４辺に建て込むことで組立容器Ａを構成し、この組立容器Ａ内に収納物を収納した状態でパレット２をフォークリフトで搬送することで簡単に移動できるものであり、さらに側板３の内側を平面に形成し、側板３の外側を縦横リブで形成し、該縦横リブで形成した側板３の外側において上端部から下端部にわたる複数の縦リブを設けると共にこの縦リブ間の間隔が狭い部位と縦リブ間の間隔が広い部位を設け、側板３の中央部のロック部材収納部１６の両側の部位を上記縦リブ間の間隔が狭い部位としているので、各側板３の中間部分は上記縦リブ間の間隔が狭い部位で挟まれたロック部材収納部１６に収納したロック部材２３によってパレット２に連結されることで中間部分が外側に膨れたり、あるいは内側に凹んだりするのを防止できるようになる。また、組立容器Ａ内に収納物を出し入れする際には同一形状の４つの側板３のうち一つの側板３の一端部を回転軸５から外してフリーにした状態で該側板３の他端部の軸受け部４を回転軸５を中心として回動して開くことで、組立容器Ａ内への収納物の出し入れを行うことができ、収納物の出し入れが終わると、該側板３を回動して閉じるとともに一端部の軸受け部４を隣接する側板３の一端部の軸受け部４に対して上下にずらして位置させ、この状態で回転軸５により両軸受け部４をパレット２に取付けることで簡単に側板３を閉じてパレット２に取付けることができるものである。そして、側板３の両端部の側板３の略巾内に、それぞれ、突出長さが側板３の略巾と略同じ長さとなり且つ先端部に弧面部６が形成された軸受け部４と軸受け部４が突設しない平坦な凹み部７とを上下方向に形成してあるので、上記のように回転軸５を中心として側板３の他端部の軸受け部４を回動して開くに当たり、支障なく側板３を回動して開閉できるものである。
【００１１】
【発明の実施の形態】
以下、本発明を添付図面に示す実施形態に基づいて説明する。
【００１２】
組立容器Ａは図１、図２に示すように合成樹脂製の４つの側板３を合成樹脂製のパレット２の上面部の４辺にそれぞれ着脱自在に立設配置することで構成するものである。
【００１３】
パレット２は平面視正方形状又は平面視長方形状をしており、添付図面に示す実施形態では平面視正方形状の例が示してある。パレット２にはフォークリフトのフォークの爪が挿入されるフォーク挿入部１が設けてあってパレット２の側面に側方に開口している。パレット２の四隅部には上下に貫通する取付け用孔部８が形成してあり、この取付け用孔部８の上部は大径孔部８ａとなり、下部は大径孔部８ａに連通した小径孔部８ｂとなっている。
【００１４】
取付け用孔部８には図４に示すようにボルト９を下方から挿入してあり、ボルト９の上部にナット１０を螺合してあり、ナット１０を締め付けることで、ボルト９の頭部９ａを小径孔部８ｂの下端部開口の外周縁部に当てると共にナット１０をワッシャを介して大径孔部８ａの下端部と小径孔部８ｂの上端部とを連設する段部１１に押し付け、これによりボルト９を取付け用孔部８に取付けてある。このようにして取付けられたボルト９はナット１０よりも上部の部分が大径孔部８ａ内に位置していてパレット２の上面よりも上方に突出しないようにしてある。また、ボルト９の頭部９ａは取付け用孔部８の下方に突出しているが頭部９ａの外周はパレット２の四隅部に設けたスカート部１２により覆ってあって外部から見えないようにしてある。
【００１５】
また、パレット２の４辺の各中間部分にはそれぞれ図５に示すようなロック溝１５が形成してあり、ロック溝１５の溝底には排水孔１５ａが形成してある。
【００１６】
図６乃至図８に示すように、側板３は両端部にそれぞれ軸受け部４が設けてある。ここで、側板３の端面には上下方向の複数箇所に軸受け部４が突設してあり、側板３の端面の上下方向の軸受け部４を突設しない部分が凹み部７となっている。つまり、側板３の端面部には上下方向に軸受け部４と凹み部７とが交互に設けてある。軸受け部４は側板３の端面の略巾内において端面から突出しており、したがって、側板３の両端部に軸受け部４を設けたといえども軸受け部４は側板３の表面又は裏面に対して交差する方向に突出することなく、側板３の平板状態を保持していて組立容器Ａを分解して多数の側板３を面接触で重ねてコンパクトにできるようになっている。
【００１７】
側板３の一端部に設けた軸受け部４は他端部に設けた凹み部７に対応する高さ位置となっており、また、側板３の他端部に設けた軸受け部４は一端部に設けた凹み部７に対応する高さ位置となっている。
【００１８】
軸受け部４には上下方向に貫通する孔１３が設けてある。図６乃至図８に示す実施形態では側板３の両端部にそれぞれ上下方向に３個の軸受け部４と凹み部７とを交互に設けてあるが、両端部の３個の軸受け部４のうち上下２個の軸受け部４はいずれも筒体により構成してあって筒体内が上下に貫通する孔１３となっているが、中間に位置する軸受け部４は表面側に開口する水平断面Ｕ字状をしたＵ字状部１４ａと裏面側に開口する水平断面Ｕ字状をしたＵ字状部１４ｂとを上下に交互に一体に連設して構成してあり、表面側に開口するＵ字状部１４ａと裏面側に開口するＵ字状部１４ｂとを上下に一体に連設することで上下に貫通する孔１３が構成されるものである。
【００１９】
ここで、中間に位置する軸受け部４を筒体により構成してもよいが、中間に位置する軸受け部４を筒体により構成すると、合成樹脂により成形する際に、中間の筒体を成形するための金型構成が複雑となるが、上記のように中間に位置する軸受け部４を表面側に開口するＵ字状部１４ａと裏面側に開口するＵ字状部１４ｂとを上下に一体に連設して上下に貫通する孔１３を構成することで、表側と裏側とに金型を開く構成にして中間に位置する軸受け部４を成形することができることになる。
【００２０】
側板３の表面側の中央部の下部にはロック部材収納部１６が形成してある。ロック部材収納部１６は図１１に示すように、表面側から奥側に凹んだ溝部１７を形成し、この溝部１７の上部のみを表面側に開口させるとともに溝部１７の表面側を前遮蔽部１８により閉塞し、更に、溝部１７の下部の表裏方向（前後方向）の中間部を仕切り部１９により仕切って溝部１７の下部を上下に開口する前溝部１７ａと後溝部１７ｂとに仕切ってある。後溝部１７ｂの後部上端部には係止段部２０が形成してある。また、溝部１７の上部の両側には抜け止め突起２１が突設してあり、更に、溝部１７の上部の後面にはく字状をした係止溝２２が設けてある。
【００２１】
ロック部材２３は図１３に示すようなもので、垂直な脚部２４の上部にロ字状をした操作部２５が形成してあり、操作部２５の前面部は脚部２４の前面よりも前方に少し突出していて該突出部分の下面が当たり部２６となっている。また操作部２５の両側面部には突部３０が突設してある。操作部２５の上端部から断面Ｌ字状をした背方突出部２７が一体に突設してあり、背方突出部２７の縦片の下端部から下にいくほど背方となるように斜め下方に向けて弾性を有する第１係止片２８と弾性を有する第２係止片２９とが連出してある。第１係止片２８は背方突出部２７の縦片の両側下端部から連出してあって先端部に係止爪２８ａが設けてあり、第２係止片２９は背方突出部２７の縦片の中央下端部から連出してあって連出長さが第１係止片２９よりも短く且つ背面部がく字状をした係止突起２９ａとなっている。
【００２２】
上記の構成のロック部材２３は図１１（ｃ）のようにロック部材収納部１６の溝部１７内に表面側から嵌め込んである。この場合、ロック部材２３の脚部２４が溝部１７の下前部の前溝部１７ａ内に上下移動自在に嵌め込んであり、また、突部３０が抜け止め突起２１の背面側に当たってロック部材２３が前方に抜けないようになっており、また、第１係止片２８の係止爪２８ａが係止段部２０に弾性的に係止してロック部材２３が図１１（ｃ）の状態で上方に移動して溝部１７の上部の表面側の開口から抜けないようになっている。また、第２係止片２８のく字状をした係止突起２９ａがく字状をした係止溝２２に弾性的に係止していてロック部材２３を図１１（ｃ）の状態に保持している。この状態ではロック部材２３の脚部２４の下端は側板３の下端よりも下方に突出しないように設定してあり、非使用時に不用意に脚部２４の下端が下方に突出して破損しないようにしてある。
【００２３】
パレット２の上面部の４辺にそれぞれ側板３を起立姿勢で配置して隣接する側板３の端部同士とパレット２とを着脱自在に回転軸５により取付けることで上方が開口した図２に示すような組立容器Ａを組立形成するものである。
【００２４】
ここで、回転軸５は図９に示すようなもので、金属製の円筒体５ａの下端部にナット部５ｂを埋設固着し、円筒体５ａの上端部に円筒体５ａよりも大径の鍔部５ｃを固着し、鍔部５ｃの上面に操作用突部５ｄを突設したものである。
【００２５】
しかして、前述の側板３をパレット２の上面部の４辺に立て、側板３の端部に設けた軸受け部４を隣接する側板３の端部に設けた凹み部７内に嵌め込むことで、隣接する側板３の軸受け部４同士を上下にずらして多段に配置し、上下多段の軸受け部４の孔１３を上下に連通させるとともに、パレット２の取付け用孔部８の上端開口に連通させる。この状態で、最上段の軸受け部４の孔１３から回転軸５を挿入し、パレット２の取付け用孔部８の大径孔部８ａ内に回転軸５の下端部を挿入して回転軸５の下端部に設けたナット部５ｂを大径孔部８ａ内に位置するボルト９の上部に螺合し（操作用突部５ｄを指で摘んで回転操作することで螺合操作をする）、鍔部５ｃを最上段の軸受け部４の上面に押接することで、回転軸５により隣接する側板３の軸受け部４同士を連結するとともにパレット２に連結することで、組立容器Ａを簡単に組立形成するものである。この場合、回転軸５を上下多段の軸受け部４の孔１３に挿通して、操作用突部５ｄを指で摘んで回転操作するだけで簡単に隣接する側板３を連結すると共にパレット２に連結することができて、組立操作性が優れているものである。この組立状態においては、ロック部材２３の操作部２５を下方に引き下ろす操作をし、係止突起２９ａを係止溝２２から抜けさせ、図１２（ａ）に示すように、脚部２４をロック溝１５に嵌め込んでロックするものである。この場合、当たり部２６が前遮蔽部１８の上端部に当接して図１２（ａ）のロック状態においてロック部材２３が下方に移動しないようになっており、また、く字状をした係止突起２９ａが係止段部２０に弾性的に係止してロック部材２３が図１２（ａ）のロック状態で上方に移動しないようになっている。このロック状態では側板３は両端部だけでなく中間部分もパレット２に連結されて中間部分が外側に膨れたり、あるいは内側に凹んだりするのを防止するようになっている。
【００２６】
ここで、組立容器Ａ内に収納物を出し入れするには４つの側板３のうちの一つの側板３の一端部の軸受け部４を回転軸５から外し、また、該当する側板３の中間部をパレット２にロックしているロック部材２３を上方に引き上げて図１２（ｂ）の状態にしてロックを解除し、この状態で当該側板３の他端部を回転軸５を中心に回動することで図３のように側板３を開いて組立容器Ａの一側面を開口させ、この開口部３１から収納物を出し入れするものである。
【００２７】
一つの側板３を他端部の軸受け部４に挿通する回転軸５を中心に回動するには軸受け部４の先端部が隣接する側板３の端面である凹み部７の奧面に当たらないようにする必要がある。このため、本発明においては、側板３の一方の軸受け部４を回転軸５から脱離させてフリーにした状態で該側板３の他方の軸受け部４が回転軸５を中心に回動自在となるように該他方の軸受け部４の先端部に該先端部が隣接する別の側板３の端面に当たるのを避けるための弧面部６を形成している。添付図面に示す実施形態においては側板３の端面の上下方向に側板３の略巾内において突設する軸受け部４と軸受け部４が突設しない凹み部７とを形成しているので、軸受け部４の先端部の内面側を当該軸受け部４が回動する際に隣接する別の側板３の凹み部７の奧面に当たるのを避けるための弧面部６を設けておけば、側板３を閉じた時における側板３の端部間に隙間が生じないようにすると共に側板３を支障なく回動することができるものである。このように軸受け部４の先端部の内面側を弧面部６とするに当たっては、図８のように軸受け部４の先端部を平面視略半円形の弧面部６としてもよく、また、図１８のように軸受け部４の先端部を平面視略１／４円形の弧面部６としてもよいものである。
【００２８】
側蓋として回動させるために側板３の一端部を回転軸５から外すには、回転軸５を取付け時とは逆方向に回動して回転軸５を上方に抜き取り、側蓋として回動させようとする側板３を当該側板３の他端部側を回転軸５を中心に回動して当該側板３の一端部の軸受け部４を隣接する側板３の一端部の軸受け部４から離し、その後、先ほど取り外した回転軸５を隣接する側板３の一端部の軸受け部４の孔１３に挿入して回転軸５の下端部のナット部５ｂを大径孔部８ａ内に位置するボルト９の上部に螺合することで、図３のように回転軸５により隣接する側板３の軸受け部４のみをパレット２に連結しておくものである。
【００２９】
図３に示すように一つの側板３を回動した状態における組立容器Ａ内への収納物の出し入れが終わって再び組立容器Ａとして組立る場合には、側蓋として回動するために使用した側板３の自由端となっている一端部側と対応する隣接する側板３の端部をパレット２に連結している回転軸５を外し、その後、当該側板３の端部の軸受け部４と側蓋として回動するために使用した側板３の端部の軸受け部４とを上下にずらして位置させ、組立時と同様にして回転軸５により隣接する軸受け部４同士を連結するとともにパレット２に連結し、更に、側蓋として利用していた側板３に取付けているロック部材２３を操作して図１２（ａ）のロック状態とするものである。
【００３０】
組立容器Ａ内に収納物を収納した状態で、組立容器Ａのパレット２に設けたフォーク挿入部１にフォークリフトのフォークを挿入して持ち上げた状態で移動させ、トラック、貨車、船等に載せて搬送するものである。
【００３１】
ここで、組立容器Ａ内に収納物を収納した状態で必要に応じて図１４のように組立容器Ａの上開口部に上蓋３２を被せ、バンド３３により組立容器Ａと上蓋３２とを結束してもよいものである。
【００３２】
一方、組立容器Ａの非使用時には４つの回転軸５を外して側板３同士の連結、側板３とパレット２との連結を解除して分解するものである。回転軸５を外すにあっては、操作用突部５ｄを指で摘んで回転操作するだけで簡単に回転軸５の螺合を外して抜き取ることができて、簡単に隣接する側板３の連結を解除すると共にパレット２との連結を解除して分解できて、分解性が優れているものである。また、分解した場合、ボルト９の上端がパレット２の上面よりも上方に突出していないので、パレット９同士を積み重ねたりする際にもボルト９が支障にならないものである。また、各側板３に取付けているロック部材２３は上方に引き上げて図１１（ｃ）の状態としておく。このように分解することでコンパクトにして搬送したり、あるいは保管することで搬送や保管に要するスペースを小さくできるものである。
【００３３】
分解した上記の各部品は例えば、図１５のように、多数のパレット２を上下に積み重ね、更に、最上段のパレット２の上に多数の上蓋３２を積み重ね、必要に応じてバンドで結束し、最下段のパレット２をフォークリフトを利用して持ち上げることで移動させ、トラック、貨車、船等に載せて搬送したり、倉庫などに保管するものである。
【００３４】
また、多数の組立容器Ａを分解して搬送したり、保管したりする際に、大部分の組立容器Ａはすべての側板３を外して分解してパレット２は前述のようにまとめて積み重ねるが、任意の組立容器Ａは対向する一組の側板３を残して他の対向する一組の側板３を外したものとし、この対向する一対の側板３を残したパレット２の上面の上記一対の側板３間に図１６のように他の多数の側板３を並設配置するものである。そして、必要に応じて上蓋３２を被せて図１６（ｂ）のようにバンド３３で結束するものである。移動に当たっては、多数の側板３を載置しているパレット２をフォークリフトを利用して持ち上げることで移動させ、トラック、貨車、船等に載せて搬送したり、倉庫などに保管するものである。この場合、パレット２を平面視正方形状とし、４つの側板３を同一形状としておくことで、外した側板３がパレット２からはみ出したりすることなく、また、上蓋３２を被せるのに支障がないものである。
【００３５】
また、多数の回転軸５は図１７に示すように分解していない組立容器Ａ内に入れて上蓋３２を被せてバンド３３で結束するものであり、移動に当たっては、多数の側板３を載置しているパレット２をフォークリフトを利用して持ち上げることで移動させ、トラック、貨車、船等に載せて搬送したり、倉庫などに保管するものである。
【００３６】
なお、図１６、図１７において上蓋３２は破線で示している。
【００３７】
【発明の効果】
上記のように本発明の請求項１記載の発明にあっては、フォークリフトのフォークの爪が挿入されるフォーク挿入部を有するパレットの上面部の４辺に側板を配置し、各側板の両端部に、それぞれ、先端部に弧面部が形成された軸受け部と軸受け部が突設しない凹み部とを上下方向に形成し、各側板の中間部分の下部にロック部材を上下移動自在に配置し、パレットの四隅部に取付け用孔部を設けるとともにパレットの４辺の各中間部分にロック溝を設け、側板同士が直角に隣接するコーナー部分において一方の側板に設けた先端部に弧面部が形成された軸受け部と他方の側板に設けた先端部に弧面部が形成された軸受け部とを上下にずらして配置し、一方の側板の軸受け部を他方の側板の凹み部に嵌め込み且つ一方の側板の凹み部に他方の側板の軸受け部を嵌め込んだ状態で回転軸を上下の軸受け部に挿入して上下の軸受け部同士を回動自在に連結するとともに該回転軸の下端部をパレットの取付け用孔部に挿入して該回転軸をパレットに対して着脱自在に連結し、さらに上記ロック部材を下方に引き下ろしてパレットのロック溝に嵌め込んで側板の中間部分をロックして、パレットの上面部の４辺にそれぞれ側板が起立姿勢で配置された組立状態とし、この組立状態において側板の一端部の軸受け部を回転軸から離脱させ且つ該側板の中間部分をパレットにロックしているロック部材を上方に引き上げてロックを解除した状態で、該側板の他端部の軸受け部が、該軸受け部とこれに隣接する他の側板の軸受け部とを連結し且つ下端部がパレットの取付け用孔部に連結されている回転軸を中心に回動自在となるようにしてあるので、非使用時には側板を取り外してコンパクトにすることができ、これにより搬送、保管に際してスペースをとらないようにできるものであり、また、使用時には同一形状の４つの側板を組み立ててパレットの４辺に建て込むことで簡単に組立容器を構成し、組立容器内に収納物を収納した状態でパレットをフォークリフトで搬送することで簡単に移動できるものであり、さらに側板の内側を平面に形成し、側板の外側を縦横リブで形成し、該縦横リブで形成した側板の外側において上端部から下端部にわたる複数の縦リブを設けると共にこの縦リブ間の間隔が狭い部位と縦リブ間の間隔が広い部位を設け、側板の中央部のロック部材収納部の両側の部位を上記縦リブ間の間隔が狭い部位としているので、各側板の中間部分は上記縦リブ間の間隔が狭い部位で挟まれたロック部材収納部に収納したロック部材によってパレットに連結されることで中間部分が外側に膨れたり、あるいは内側に凹んだりするのを防止できるようになる。また、組立容器内に収納物を出し入れする際には同一形状の４つの側板のうち一つの側板の一端部を回転軸から外してフリーにした状態で該側板の他端部の軸受け部を回転軸を中心として回動して開くことで、組立容器内への収納物の出し入れを行うことができるものであって、組立容器が大型のものであっても組立容器内への収納物の出し入れ作業が組立容器の上開口部の縁部に作業者が載って出し入れ作業をする必要がなくて、簡単且つ迅速に収納物の出し入れ作業が行えるものであり、しかも、収納物の出し入れが終わると、該側板を回動して閉じるとともに一端部の軸受け部を隣接する側板の一端部の軸受け部に対して上下にずらして位置させ、この状態で回転軸により両軸受け部をパレットに取付けることで簡単に開いていた側板を閉じて取付けることができるものである。しかも、側板の両端部の側板の略巾内に、それぞれ、突出長さが側板の略巾と略同じ長さとなり且つ先端部に弧面部が形成された軸受け部と軸受け部４が突設しない平坦な凹み部７とを上下方向に形成してあるので、上記のように回転軸を中心として側板の他端部の軸受け部を回動して開くに当たり、簡単な構成で支障なく側板を回動して開閉できるものである。
【図面の簡単な説明】
【図１】本発明の組立容器の分解斜視図である。
【図２】同上の組立容器の組立状態の斜視図である。
【図３】同上の一側板の一端部を回転軸から離脱させて回動した収納物の出し入れをする状態を示す斜視図である。
【図４】同上に用いるパレットの取付け用孔部の断面部である。
【図５】同上に用いるパレットのロック溝の断面図である。
【図６】同上に用いる側板の一端部側の軸受け部を表面側から見た斜視図である。
【図７】同上に用いる側板の一端部側の軸受け部を裏面側から見た斜視図である。
【図８】（ａ）は同上に用いる側板の平面図であり、（ｂ）は図６のＸ−Ｘ線における断面図であり、（ｃ）は図６のＹ−Ｙ線における断面図である。
【図９】同上に用いる回転軸を示し、（ａ）は正面図であり、（ｂ）は平面図であり、（ｃ）は下面図であり、（ｄ）は側面図である。
【図１０】同上の回転軸で隣接する側板及びパレットを連結している部分の縦断面図である。
【図１１】同上の側板に設けたロック部材収納部を示し、（ａ）は正面図であり、（ｂ）は断面図であり、（ｃ）はロック部材収納部にロック部材を収納している状態を示す断面図である。
【図１２】（ａ）はロック部材による側板中間部のパレットへのロック状態を示す断面図であり、（ｂ）はロック解除状態を示す断面図である。
【図１３】同上に用いるロック部材を示し、（ａ）は正面図であり、（ｂ）は側面図であり、（ｃ）は背面図であり、（ｄ）は下面図であり、（ｅ）は第１係止片部分における断面図であり、（ｆ）は第２係止片部分における断面図である。
【図１４】本発明の組立容器に上蓋を被せてバンドにより結束した状態を示す正面図である。
【図１５】同上の分解した多数のパレット及び上蓋を積み重ねた状態の正面図である。
【図１６】（ａ）は同上の分解した多数の側板を一つのパレットに収納した状態の平面図であり、（ｂ）は正面図である。
【図１７】（ａ）は同上の分解した多数の回転軸を一つの組立容器に収納した状態の平面図であり、（ｂ）は正面図である。
【図１８】本発明の側板の軸受け部の他の実施形態の断面図である。
【符号の説明】
１  フォーク挿入部
２  パレット
３  側板
４  軸受け部
５  回転軸
６  弧面部
７  凹み部
Ａ  組立容器
【図１】
0004555420.tif 000002
【図２】
0004555420.tif 000003
【図３】
0004555420.tif 000004
【図４】
0004555420.tif 000005
【図５】
0004555420.tif 000006
【図６】
0004555420.tif 000007
【図７】
0004555420.tif 000008
【図８】
0004555420.tif 000009
【図９】
0004555420.tif 000010
【図１０】
0004555420.tif 000011
【図１１】
0004555420.tif 000012
【図１２】
0004555420.tif 000013
【図１３】
0004555420.tif 000014
【図１４】
0004555420.tif 000015
【図１５】
0004555420.tif 000016
【図１６】
0004555420.tif 000017
【図１７】
0004555420.tif 000018
【図１８】
0004555420.tif 000019